(57)【特許請求の範囲】
【請求項１】
前後両端が開口した筒状のスリーブとこのスリーブ内に摺動自在に挿入されるトレー状の中箱とからなる二重構造の包装容器であって、中箱の前部には底板に設けた折線のところで下方に折れ曲がる回動部分が設けられ、その回動部分には前記折線を越えて底板上で後方に延びる阻止板が設けられており、これによって折線から後方に阻止板の先端部分が突き出すとともにこの突き出た部分が底板と貼着していない状態になっており、中箱の回動部分をスリーブから前方に引き出して折線のところで下方に折り曲げたときに、回動部分の折れ曲がりと同時に阻止板の先端部分が起き上がるようになっていることを特徴とする包装容器。
【請求項２】
中箱の回動部分をスリーブから前方に引き出した際に折線のところまで引き出した時点で中箱が係止するストッパー機構が設けられていることを特徴とする請求項１に記載の包装容器。
【請求項３】
中箱の後部に設けられた突起とスリーブの内面に設けられた係止部とでストッパー機構が形成されていることを特徴とする請求項２に記載の包装容器。
【発明の詳細な説明】
【技術分野】
【０００１】
本発明は、板紙からなる包装容器の技術分野に属し、詳しくは、粒状の菓子類を収納して販売する際に好適に用いられる包装容器に関するものである。
【背景技術】
【０００２】
従来より、粒状の菓子類を収納する包装容器として、前後両端が開口した筒状のスリーブとこのスリーブ内に摺動自在に挿入されるトレー状の中箱とからなる二重構造の包装容器が知られている。
【０００３】
【特許文献１】特開平７−２４２２３０号公報
【特許文献２】実用新案登録第３１１７０７１号公報
【発明の開示】
【発明が解決しようとする課題】
【０００４】
上記した二重構造の包装容器は、中箱を引き出して内容物を取り出すようになっているので、全体を細長い形状とし、内容物として例えば粒状の菓子類を一列に並べて収納した場合、一つずつ順に取り出すことができて便利である。しかしながら、中箱を引き出して内容物を取り出そうと傾けると、内容物が流れるように次々と出てきてしまい、一つずつ確実に取り出すのが難しいという問題点があった。
【０００５】
本発明は、このような問題点に鑑みてなされたものであり、その目的とするところは、前後両端が開口した筒状のスリーブとこのスリーブ内に摺動自在に挿入されるトレー状の中箱とからなる二重構造の包装容器であって、内容物を一つずつ確実に取り出すことができるようにした包装容器を提供することにある。
【課題を解決するための手段】
【０００６】
本発明に係る包装容器は、前後両端が開口した筒状のスリーブとこのスリーブ内に摺動自在に挿入されるトレー状の中箱とからなる二重構造の包装容器であって、中箱の前部には底板に設けた折線のところで下方に折れ曲がる回動部分が設けられ、その回動部分には前記折線を越えて底板上で後方に延びる阻止板が設けられており、これによって折線から後方に阻止板の先端部分が突き出すとともにこの突き出た部分が底板と貼着していない状態になっており、中箱の回動部分をスリーブから前方に引き出して折線のところで下方に折り曲げたときに、回動部分の折れ曲がりと同時に阻止板の先端部分が起き上がるようになっていることを特徴とする。
【０００７】
本発明によれば、中箱の回動部分をスリーブから前方に引き出し、折線のところで下方に折り曲げて内容物を取り出すが、回動部分は一つの内容物を載せた状態で折れ曲がるとともに、回動部分の折れ曲がりと同時に阻止板が起き上がり、起き上がった阻止板が残った内容物の流出を防止するように作用する。
【０００８】
このような包装容器において、中箱の回動部分をスリーブから前方に引き出した際に折線のところまで引き出した時点で中箱が係止するストッパー機構が設けられているとよい。例えば、中箱の後部に設けられた突起とスリーブの内面に設けられた係止部とでストッパー機構を形成するようにしてもよい。この構成により、中箱の回動部分だけをスリーブから前方に引き出すことができる。
【発明の効果】
【０００９】
本発明に係る包装容器によれば、収納した粒状の内容物を一つずつ確実に取り出すことができる。
【発明を実施するための最良の形態】
【００１０】
次に、図面を参照しながら、本発明に係る包装容器の好適な実施形態について詳細に説明する。
【００１１】
図１は本発明の実施形態に係る包装容器を分離状態で示す斜視図である。この包装容器は、図示のように、前後両端が開口した筒状のスリーブ１０とこのスリーブ２０内に摺動自在に挿入されるトレー状の中箱２０とからなる二重構造をしている。
【００１２】
図２はスリーブ１０を組み立てるブランクの展開図である。このブランクは板紙を図示の形状に打ち抜いたもので、細長状の５つのパネル、すわち底面外側パネル１１、側面パネル１２、上面パネル１３、側面パネル１４、底面内側パネル１５が折線ａ，ｂ，ｃ，ｄを介して順次連設された形状をしている。図の上部が前側になっており、底面内側パネル１５の後部には、中箱２０の後部に設けられる突起（後述する）を引っ掛けるための係止部を構成する切欠１５ａが設けられている。
【００１３】
このスリーブ１０のブランクを組み立てる手順は次のようである。まず、裏面が上を向くように反転させた後、側面パネル１４に対して底面内側パネル１５を折線ｄで谷折りし、底面内側パネル１５の表面に接着剤を塗布する。次いで、上面パネル１３に対して折線ｂで側面パネル１２を谷折りし、底面外側パネル１１の裏面を底面内側パネルの１５の表面に貼着してサック貼り状態にする。しかる後、サック貼り状態から角筒状に起こすことにより、図１に示すような前後両端が開口したスリーブ１０が形成される。
【００１４】
図３は中箱２０を組み立てるブランクの展開図である。このブランクも板紙を図示の形状に打ち抜いたもので、図の上部が前側になっており、スリーブ１０と略同じ長さをした細長状の底板２１が中央に配置され、その左右両側にそれぞれ側板２２が折線ａ，ｂを介して連設されている。
【００１５】
底板２１の前部には折線ｃを介して曲げ部分２１ａが区画されており、各側板２２には底板２１の折線ｃの両端を頂部とするＶ字状の切欠２３が設けられ、その切欠２３によって各側板２２の前部にはそれぞれ小側板２２ａが分離状態で区画されている。
【００１６】
底板２１における曲げ部分２１ａの前方には、前板２４、上板２５、中板２６及び阻止板２７が折線ｄ，ｅ，ｆ，ｇを介して順次連設されている。また、各側板２２における小側板２２ａの前方にはそれぞれフラップ２８が折線ｈを介して連設され、側方にはそれぞれ折込み片２９が折線ｉを介して連設されている。ここで、前板２４の横幅は底板２１の幅より若干大きくなるように設定されている。
【００１７】
底板２１の後部には、後板３０、折返し板３１が折線ｊ，ｋを介して順次連設されており、各側板２２の後部には、フラップ３２がそれぞれ折線ｌ，ｍを介して連設されている。そして、折線ｊの中央には底板２１の方に僅かに突き出る形状をした切込３０ａが設けられている。
【００１８】
この中箱２０のブランクを組み立てる手順は次のようである。まず、裏面が上を向くように反転させた後、前側では、阻止板２７の裏面の後寄りと曲げ部分２１ａの裏面に接着剤を塗布し、後側では、折返し板３１の裏面に接着剤を塗布する。
【００１９】
そして、前側では、各フラップ２８をそれぞれ小側板２２ａに対して折線ｈで谷折りし、各折込み片２９をそれぞれ小側板２２ａに対して折線ｉで谷折りするとともに、各小側板２２ａを曲げ部分２１ａに対してそれぞれ折線ａ，ｂで谷折りする。次に、阻止板２７を中板２６に対して折線ｇで谷折りし、中板２６を上板２５に対して折線ｆで山折りし、上板２５を前板２４に対して折線ｅで谷折りする。そして、このように阻止板２７、中板２６及び上板２５を折り曲げた状態で、前板２４を曲げ部分２１ａに対して折線ｄで谷折りし、阻止板２７を曲げ部分２１ａに貼着する。この場合、阻止板２７の先端部分が曲げ部分２１ａから所定の長さだけ突き出るようにする。このように前部を組み立てると、図１に示すように、阻止板２７の先端部分が折線ｃから後方に突き出し、この突き出た部分は底板２１と貼着していない状態となる。したがって、中箱２０の前部には底板２１に設けた折線ｃのところで下方に折れ曲がる回動部分Ａが設けられ、その回動部分Ａには折線ｃを越えて底板２１上で後方に延びる阻止板２７が設けられることになる。
【００２０】
一方、後側では、各フラップ３２をそれぞれ側板２２に対して折線ｌ，ｍで谷折りするとともに、各側板２２を底板２１に対してそれぞれ折線ａ，ｂで谷折りする。続いて、後板３０を底板２１に対して折線ｊで谷折りするとともに、折返し板３１を後板３０に対して折線ｋで内側に折り返し、一対のフラップ３２に貼着する。このように後部を組み立てると、後板３０の下側に切込３０ａによる突起３０ｂが突き出た形状となる。
【００２１】
ここで、スリーブ１０と中箱２０のサイズは、両者の間に余計な隙間ができないように、かつスリーブ１０に対して中箱２０をスムースに摺動できるように設定されている。
【００２２】
上記のようにしてスリーブ１０と中箱２０をそれぞれ組み立てた後、中箱２０に粒状の菓子類を複数個並べて収納し、その中箱２０をスリーブ１０に挿入し、中箱２０をスリーブ１０によって包囲した後、外周全体をフィルムで包装して販売形態とされる。
【００２３】
店頭にて商品を購入した消費者が中身を取り出すときは、フィルムを剥がした後、前板２４の両サイドに指を掛けて引っ張ることにより、スリーブ１０から中箱２０を引き出すことができる。そして、図４に示すように、底板２１の折線ｃのところまで引き出した後、回動部分Ａを折線ｃのところで下方に折り曲げて内容物を取り出すが、回動部分Ａは一つの内容物を載せた状態で折れ曲がるとともに、回動部分Ａの折れ曲がりと同時に阻止板２７が起き上がり、起き上がった阻止板２７が中箱２０に残った内容物の流出を防止することになる。特に、直方体などの四角い内容物がぎっしり並んでいる場合、一つ目が取り出しにくいことが折ることで取り出しやすくなる。
【００２４】
なお、分かりやすくするため、図５に内容物Ｎが一粒ずつ出る状態を図示している。また、この図５に示すように、上面パネル１３の先端をＲ状にえぐった形状にすることで、内容物Ｎを取り出しやすくしてもよい。
【００２５】
そして、中箱２０にはその後部に突起３０ｂが設けられ、スリーブ１０にはその内面に切欠１５ａによる係止部が設けられているので、中箱２０の回動部分Ａをスリーブ１０から前方に引き出した際に、折線ｃのところまで引き出した時点で突起３０ｂが係止部に引っ掛かって停止する。したがって、中箱２０をスリーブ１０から引き出しすぎて内容物をこぼすことがなく、内容物を確実に一つずつ取り出すことができる。なお、このストッパー機構は一例であり、このようなストッパー機構が必要な場合は、中箱２０の回動部分Ａをスリーブ１０から前方に引き出した際に所定位置で中箱２０が係止するように適宜形成すればよいものである。
【００２６】
以上、本発明の実施の形態について詳細に説明してきたが、本発明による包装容器は、上記実施の形態に何ら限定されるものではなく、本発明の趣旨を逸脱しない範囲において種々の変更が可能であることは当然のことである。
【図面の簡単な説明】
【００２７】
【図１】本発明の実施形態に係る包装容器を分離状態で示す斜視図である。
【図２】図１に示す包装容器のスリーブを組み立てるブランクの展開図である。
【図３】図１に示す包装容器の中箱を組み立てるブランクの展開図である。
【図４】図１に示す包装容器から内容物を取り出すやり方を示す説明図である。
【図５】図１に示す包装容器から内容物が一粒ずつ出る状態を示す説明図である。
【符号の説明】
【００２８】
１０  スリーブ
１１  底面外側パネル
１２  側面パネル
１３  上面パネル
１４  側面パネル
１５  底面内側パネル
１５ａ  切欠
２０  中箱
２１  底板
２１ａ  曲げ部分
２２  側板
２２ａ  小側板
２３  切欠
２４  前板
２５  上板
２６  中板
２７  阻止板
２８  フラップ
２９  折込み片
３０  後板
３０ａ  切込
３１  折返し板
３２  フラップ
Ａ  回動部分
Ｎ  内容物
ａ〜ｍ  折線
【図１】
0005076772.tif 000002
【図２】
0005076772.tif 000003
【図３】
0005076772.tif 000004
【図４】
0005076772.tif 000005
【図５】
0005076772.tif 000006